(57)【要約】【課題】物上げ機を設置していない天井を持つ建物において、簡易にチエンブロック、バランサーを設置できるようにする。【解決手段】横架材（天井梁）１のフランジ１ｂを夫々回り込んだフック３，４を枢軸５で枢着する。フック３は枢着部分よりも下方へのび吊り穴３ｄを有する。ばね９でフック３，４を引き寄せている。ばね９に抗して先端部３ａ，４ａ間を手で開いてフランジ１ｂの下側から先端支持部３ａ，４ａをフランジ１ｂ上へ移動する。先端部３ａ，４ａ間を開いた手を外すと先端部３ａ，４ａは互に近よる。先端支持部材（六角六付ボルト）２がフランジ１ｂ上に着座する。吊り穴３ｄにチエンブロック、バランサ等の物上げ機を引っ掛けて用いる。横架材１に加工を加える必要がない。横架材１の何れの場所でも使える。簡易である。【選択図】      図１
2004256238.tif 000002
【特許請求の範囲】
【請求項１】
中央部が垂直なウエブでその下部両側にフランジ等の張出部を有する横架材の前記張出部上に接触可能でフック先端部の上下方向の位置を調節可能な先端支持部材と、先端部から前記張出部の縁を回り込んで互いに近寄る方向へ向って交叉する一対のフックと、
一対のフックを前記交叉する部分で枢着する枢軸と、一対のフック先端側を互いに引き寄せるばねと、を有し、
一対のフックの一方は前記枢軸位置よりも下方へ延びて下方に吊り穴を有することを特徴とするインテンション  アタッチメント。
【請求項２】
中央部が垂直なウエブでその下部両側にフランジ等の張出部を有する横架材の前記張出部上に接触可能でフック先端部の上下方向の位置を調節可能な先端支持部材と、先端部から前記張出部の縁を回り込んで夫々が吊り穴部材に枢着された一対のフックと、
一対のフックと吊り穴部材を枢着する枢軸と、一対のフック先端側を夫々引き寄せるばねと、
前記枢軸の嵌合する穴と、この穴の下方に設けられた吊り穴を有する吊り穴部材と、を有することを特徴とするインテンション  アタッチメント。
【請求項３】
フックは先端部が横架材に沿う方向に長い形状であり、フック先端部の長手方向のほぼ中央部から、板面が先端部に直交して垂下する形状であることを特徴とする請求項１又は２に記載のインテンション  アタッチメント。
【発明の詳細な説明】
【０００１】
【発明の属する技術分野】
この発明は物上げ機を支持するインテンション  アタッチメント（Ｉｎｔｅｎｓｉｏｎ  Ａｔｔａｃｈｍｅｎｔ吊り具）に関する。
【０００２】
ここで物上げ機とは、チェンブロック、バランサ等をいう。
【０００３】
【特許文献】
なし
【技術文献】
例えば商品大事典（昭和５１年６月２５日発行、発行所東洋経済新聞社）第２３８頁から２３９頁に物上げ機の説明がある。
機械工学便覧（昭和２６年版）１６−２〜１６〜９頁にホイスト、ブロック類の説明がある。
【０００４】
【従来の技術】
従来、工場等ではＩビームの下端フランジを走るようにした移動式のホイストが多用されている。
【０００５】
またこのような物上げ機のない場合、天井に穴をあけて吊りボルト（アイボルト）を取り付けチェンブロックで物上げを行うことも行われている。
【０００６】
【発明が解決しようとする課題】
必要度がきわめて低くてもなければ困るということから、ホイスト等の荷役機械（物上げ機）を設けると工場建設当初から計画しておかねばならない。物上げを行うことが予定されていない工場等の建物では、ホイストのための走行レール、ホイストの走行装置、ホイストを設置しておく等のことは建物の価格、ホイスト等の価格を考慮すると過剰な投資となる。したがって、重量物を扱うことが予定されない作業場となる建屋ではホイスト等を設置しないのが当然である。しかし乍、当初予定されなかった物上げの必要が生ずることがある。その場合天井に穴をあけてこの穴に吊りボルトを取り付け吊りボルトによりチェンブロックを支持する方法によれば、場所を変わる度に天井に穴明けが必要となる。この穴明けも天井下で行うため楽な作業とは言えない。
【０００７】
本発明はこのような荷役機械が設置されていない建屋においても適宜の場所を任意に選択して簡易に物上げが可能な物上げ機を支持するインテンション  アタッチメント（吊り具）を提供することを目的とする。
【０００８】
【課題を解決するための手段】
本出願に係る第１の発明は中央部が垂直なウエブでその下部両側にフランジ等の張出部を有する横架材の前記張出部上に接触可能でフック先端部の上下方向の位置を調節可能な先端支持部材と、先端部から前記張出部の縁を回り込んで互いに近寄る方向へ向って交叉する一対のフックと、一対のフックを前記交叉する部分で枢着する枢軸と、一対のフック先端側を互いに引き寄せるばねと、を有し、一対のフックの一方は前記枢軸位置よりも下方へ延びて下方に吊り穴を有することを特徴とするインテンション  アタッチメントである。
【０００９】
本出願に係る第２の発明は中央部が垂直なウエブでその下部両側にフランジ等の張出部を有する横架材の前記張出部上に接触可能でフック先端部の上下方向の位置を調節可能な先端支持部材と、先端部から前記張出部の縁を回り込んで夫々が吊り穴部材に枢着された一対のフックと、一対のフックと吊り穴部材を枢着する枢軸と、一対のフック先端側を夫々引き寄せるばねと、前記枢軸の嵌合する穴と、この穴の下方に設けられた吊り穴を有する吊り穴部材と、を有することを特徴とするインテンション  アタッチメントである。
【００１０】
本出願に係る第３の発明はフックは先端部が横架材に沿う方向に長い形状であり、フック先端部の長手方向のほぼ中央部から、板面が先端部に直交して垂下する形状であることを特徴とする第１又は第２の発明に記載のインテンション  アタッチメントである。
【００１１】
【発明の実施の形態】
以下、本発明の実施の形態を図面に従って説明する。
【００１２】
（実施の形態１）
図１は正面図、図２は図１の平面図、図３は上方より見る斜視図、図４は使用状態を下から見る斜視図である。図４は分り易くするために横架材、先端支持部を断面で示す。
【００１３】
図４に示すように建屋天井に中央部が垂直なウエブ１ａでその下部両側に張出部としてフランジ１ｂを有する横架材１が設けてある。本例では横架材１はＨ型鋼を用いたＨビームである。横架材としては他にＩ型鋼、Ｔ型鋼、アングルの抱合わせ、溝形鋼の抱合せ等がある。特に、アングルの抱合せの場合は平板又は及び帯鋼と組合せてＩビームを構成することが多い。
【００１４】
図１に示すように、横架材１の下側のフランジ１ｂ（上側のフランジ１ｂは図略、以下同様）のウエブ１ａ近くに接触可能な先端支持部材２として六角穴付ボルトが設けてある。図２に示すようにこの先端支持部材２はフック３，４の先端部３ａ，４ａに設けた上下方向の複数のめねじ３ｂ，４ｂに夫々ねじ込まれている。この先端部３ａ，４ａは図２に示すように横架材１の長手方向に沿って長く断面角形である。先端支持部材２の先端は横架材１のフランジ１ｂの根本側に接触することにより、フランジ１ｂに加える曲げ力を小さくすると共に負荷の支持を安定するものである。また、先端支持部材２の先端はフランジ１ｂ上を辷り難くするため、鈍角の円錐形又は平面として平面にナーリング加工をしてある。上述のようにフック３，４の先端にはフック３，４の上下方向の位置を調節可能に先端支持部材２を設けてある。なお、先端支持部材２は先端支持部３ａ，４ａをフランジ１ｂに対して上下位置に調節することにより、フック３，４の上下位置及び傾きを調節する。
【００１５】
フック３，４は先端部３ａ，４ａの長手方向のほぼ中央部を先端としてフランジ１ｂの縁を回り込んで互いに近よる方向へ向って交叉している。ここで、先端部３ａ，４ａを除く、フック３，４は夫々が鋼板で構成されており、図１に示すように板面は先端部３ａ，４ａの長手方向に直交して先端部３ａ，４ａから垂下している。ここで図２に示すように、フック４は二又であってフック３，４の交叉部分ではフック４の間にフック３が挟持されている。
【００１６】
一対のフック３，４を交叉する部分で枢着する枢軸５を有する。この枢軸５は本例では六角ボルトを用いている。図５に示すように枢軸５はフック３，４の交叉部分に設けた貫通穴３ｃ，４ｃを貫通している。符号６は枢軸５に挿入した丸座金で枢軸５の首下とフック４、フック４とフック３間、枢軸５にねじ込んだナット７とフック４間に夫々嵌め込まれている。枢軸５にねじ込まれたナット７と枢軸５を貫通する穴には割ピン８が挿入され、ボルトナットの回り止めとしてある。
【００１７】
フック４は図１、図２にに示すようにフック状の平板を等間隔とし、間をおいて重ねた状態で先端を先端支持部４ａ、及び中間背部をウエブ４ｄで連結してある。これらは溶接により一体構造である。
【００１８】
フック３はフック４との枢軸５による枢着点より更に垂下され下方には吊り穴３ｄを有する。吊り穴３ｄは下方が半円で上方に向って対向間隔をせまめて竪長としてチェンブロック等のフックの係脱を容易にしてある。図１のＢ−Ｂ断面図の図６に示すように吊り穴３ｄの下方の縁３ｄ１は丸められている。
【００１９】
図１に示すように横架材１のフランジ１ｂの下方において横方向に張設されて一対のフック３，４を互いに引き寄せる引張りコイルばね９が設けてある。このばね９の一端を掛けるためピン状のばね掛け１１がフック４，４間に渡すようにフック４，４の夫々の穴４ｅに打込み、端部をかしめ、又はフック４，４に溶着してある。ばね９の他端を掛ける穴となったばね掛け３ｅがフック３に設けてある（図７参照）。ばね掛け３ｅ部分のフックはフック３の母材の縁に切り込み３ｆを与えて肉厚を薄くしてある。
【００２０】
このインテンション  アタッチメントＡが横架材１に懸架された状態において、枢軸５から離れた位置でフック３，４が重なる部分には同一中心同径の貫通穴３ｇ，４ｇが設けてある（図５参照）。この穴３ｇ，４ｇにはフック３，４の開き止め１２が嵌入している。本例では開き止め１２には通しピンが用いられている。ピン頭に設けられた穴１２ａはチェン（図示されない）一端を係止して、チェンの他端をこのインテンション  アタッチメントＡに係止して開き止め１２をインテンション  アタッチメントＡに付属させるためのものである。開き止め１２のピン部１２ｂの長さはフック４の外側面間の長さを有する。ピン部１２ｂの先端側から縮径しておねじ１２ｃとなっている。おねじ１２ｃにナット１０がねじ込まれている。本発明のインテンション  アタッチメントＡは荷重に対しての支持の安全性はあるがより安全のために開き止め１２を用いる。
【００２１】
次に作用を説明する。このインテンション  アタッチメントＡの未使用時は開き止め１２は貫通穴３ｇ，４ｇから引き抜いた状態である。引張りコイルばね９の自由長となる状態ではフック先端部３ａ，４ａは互いに接近又は接している。あるいはフック先端部３ａ，４ａが互いに接触した状態において引張りコイルばね９はわずかに伸張している。
【００２２】
上記状態のインテンション  アタッチメントＡとチェンブロックＢを用意する。次に建屋天井の横架材１のインテンション  アタッチメントＡを係止する場所を選定する。
【００２３】
フック３，４の先端フック根本の内側３ｈ，４ｈを互いに遠ざかる方向に引張りコイルばね９のばね力に抗して、フック３，４の先端部３ａ，４ａ間を開くように力を加える（具体的には内側３ｈ，４ｈに指を掛けて内側３ｈ，４ｈを遠のく方向へ引く）と、枢軸５を中心にしてフック３，４は回動して先端部３ａ，４ａ間が開く。そこで先端部３ａ，４ａを横架材１のフランジ１ｂの両縁を通り越すまで持ち上げる。次にフック部根本内側３ｈ，４ｈを互いに遠ざけている力を抜くと、引張りコイルばね９のばね力で先端支持部３ａ，４ａは互いに近ずき、図１に示すように横架材１のウエブ１ａの近くに先端支持部材２が来る。インテンション  アタッチメントＡを持つ手を離すと先端支持部材２は先端がフランジ１ｂに着座して支持される。
【００２４】
貫通穴３ｇ，４ｇが一致している状態で開き止め１２を貫通穴３ｇ，４ｇに嵌入してナット１０を締め込む。
【００２５】
ここで、先端支持部材２のねじ込み量を加減することによりインテンション  アタッチメントＡの姿勢を正しく保つことができる。
【００２６】
すなわち、フック３側の先端支持部材２をフック４側の先端支持部材２よりも先端をより多く突出させると図１において吊り穴３ｄは右の方へ変位する。フック４側の先端支持部材２をフック３側の先端支持部材２よりもより多く突出させると図１において吊り穴３ｄは左の方へ変位する。これらの調節により、吊り穴３ｄをウエブ１ａの真下に位置させることが出来、インテンション  アタッチメントＡが安定する。
【００２７】
また、先端支持部材２は横架材１に沿って長い。そこで、図２に示す列状の先端支持部材２の列方向における位置によってその突出量を変えることにより、図１の紙面に直角方向に吊り穴３ｄが変位する。そこで、先端支持部材２の突出量を先端支持部材２の列方向で調節することにより、フック３，４の板面を垂直とできる。
【００２８】
次に図４に示すようにインテンション  アタッチメントＡの吊り穴３ｄにチェンブロックＢのフックＢ１を掛ける。チェンブロックＢで重量物を上げると、チェンブロックＢ及び重量物の重量は吊り穴３ｄを介してフック３に伝えられる。そして枢軸５によりフック４にも伝えられ、先端支持部材２，２でもってフランジ１ｂ，１ｂに支持される。
【００２９】
吊り上げ位置を変更する際は、吊り穴３ｄからチェンブロックＢを外し、少しく持上げ気味にしてインテンション  アタッチメントＡを横架材１に沿って移動できる。この際は回り止め１２を外すことなく行うことができる。大きく移動する際、又は他の横架材にインテンション  アタッチメントＡを移動する際は、開き止め１２を一旦外し、フック３，４の内側３ｈ，４ｈ間に手を掛けて先端部３ａ，４ａを拡げインテンション  アタッチメントＡを下方へ移動して横架材１からインテンション  アタッチメントＡを外す。その上で所要の場所にインテンション  アタッチメントＡを移動して横架材１に取り付ける。
【００３０】
上述のように構成してあるから、建屋天井に横架材さえあれば、予めホイストの走行装置を設ける必要がなく、適宜選択した場所にインテンション  アタッチメントＡを設けて物上げを行うことができる。このような作業現場は非常に多いがインテンション  アタッチメントＡは工具として準備しておけば足りる。実施の形態は横架材１がフランジ幅１００ｍｍのＨビームに適合するが、これよりもフランジ幅の小さいＨビームに対しても用いることができる。なぜならば、フック先端部３ａ，４ａはＨビームのウエブ１ａに近い位置にあり、吊り穴３ｄに垂直荷重を加えると先端部３ａ，４ａは互いに近よる方向の力を受けるからである。また、開き止め１２を施すことによってもフック先端部３ａ，４ａは開かない。構成が簡単で可搬性にすぐれる。
【００３１】
（実施の形態２）
図８は実施の形態２を示す。図において、実施の形態１と相当部分は同一の符号を付し実施の形態１の説明を援用する。。フック３，４の上部は垂線ＶＬを対称線とする線対称である点は実施の形態１と同様である。
【００３２】
実施の形態１ではウエブ１ａの垂直下方に枢軸５と吊り穴３ｄが位置する。これに対して本実施の形態２では吊り穴３ｄの中心Ｃ１はウエブ１ａの中心を垂下する垂線ＶＬよりも長さｘ１オフセットしている。また、枢軸５の中心Ｃ２は垂線ＶＬを挟んで中心Ｃ１とは反対側へ長さｘ２オフセットしている。
【００３３】
フック３，４の先端フック部根本の内側３ｈ，４ｈがフランジ１ｂの縁の上角に当接するようになっている。
【００３４】
吊り穴３ｄにより吊り下げたチェンブロックＢ（図示されない）により物上げを行うと、吊り穴３ｄには中心Ｃ１をとおり下方へ向う荷重Ｗが働く。この荷重Ｗに基づいて枢軸５を中心にしてＷ（ｘ１＋ｘ２）の反時計回りモーメントが生ずるのでフック３は枢軸５を中心に反時計回りに回動する回転力を受ける。これによってフック３，４の根本側の交角θを減少する方向の回転力を相対的にフック４は受ける。従って、先端フック部根本の内側３ｈ，４ｈはフランジ１ｂの縁を加圧する。ここで、交角θとは枢軸５の中心Ｃ２と吊り穴３ｄの中心Ｃ１をとおる線と、枢軸５の中心Ｃ２をとおりフック４の根本側を二等分する線とがなす角のことである。本例では後者の線上に開き止め１２を設けてあるが、開き止め１２の位置はこれに限定されない。
【００３５】
この実施の形態によれば、荷重により、フック３，４は互いに強く横架材１を抱くことになる。
【００３６】
なお、この実施の形態では横架材１としてはＨ型鋼を実線で示してある。そして、フランジ幅がＨ型鋼と同寸法のＩ型鋼を点線で表示した。
【００３７】
（実施の形態３）
図９は実施の形態３の正面図、図１０は図９の一部断面で示す平面図である。実施の形態１，２は吊り穴を片側のフックに設けた。本実施の形態では吊り穴を設ける吊り穴部材を設け、吊り穴部材にフックを枢着し、左右対称に構成した。
【００３８】
吊り穴部材１３はウエブ１ａの垂直下方に吊り穴１３ａを有する。吊り穴部材１３は二種の板状部材からなる。吊り穴１３ａのある１枚の吊り穴部材本体１３Ａの両側板面をヒンジを設けるための二枚のヒンジ部材１３Ｂで挟持して該本体１３Ａとヒンジ部材１３Ｂの両者を溶接で一体としてある。なお、図９においてヒンジ部材１３Ｂの手前側の一枚の右側は切断しフック１４の根本を見えるように図示したが、二枚のヒンジ部材１３Ｂは各々左右対称で同形である。吊り穴部材本体１３Ａはヒンジ部材１３Ｂの間から上部へとび出していて上部には穴となったばね掛け１３ｂが設けられている。穴としたばね掛け１３ｂは実施の形態１と同様に吊り穴部材本体１３Ａの母材の縁の両側に夫々切り込み１３ｃを与えて吊り穴本体１３Ａの縁の肉厚を薄くした部分に設けてある。
【００３９】
ヒンジ部材１３Ｂは左右両端が吊り穴部材本体１３Ａから左右へ突出していて、突出した部分においてフック１４，１４の根本が挟持されている。フック１４，１４の根本の穴１４ａとヒンジ部材１３Ｂの穴１３ｄを挿通する枢軸１５によりヒンジ部材１３Ｂにフック１４が枢着されている。
【００４０】
フック１４の図９から見る正面図において穴１４ａから先端側は実施の形態１のフック３と同様、先端部１４ｂが設けられ、先端部１４ａのめねじには先端支持部材２として剣先の六角穴付ボルト２がねじ込まれている。先端フック部根本側の内側１４ｃは横架材１のフランジ１ｂの縁を回り込んでいる。フランジ１ｂのすぐ下方向において、フック１４には、穴としたばね掛け１４ｈが設けてある。ばね掛け部分は実施の形態１と同様切り込み１４ｄを入れて薄くしてある。
【００４１】
対向するばね掛け１３ｂ，１４ｈ間には引張りコイルばね１６が張設されている。このばね１６はフランジ１ｂの下方で大略横方向に配置されている。
【００４２】
吊り穴部材本体１３Ａには通し穴１３ｅが設けてある。この通し穴１３ｅには開き止め部材１７が嵌入できるようになっている。図９においてフック１４，１４先端部か近寄って通し穴１３ｅに開き止め部材１７が嵌入した状態において、フック１４の根本にはフック１４が開く方向に枢軸１５を中心にして回転しようとすると、開き止め部材１７に接するストッパ部１４ｅが設けられている。
【００４３】
フック１４の根本は枢軸１５をとおす穴１４ａを中心として円弧１４ｈとなっている。この円弧１４ｈに沿って吊り穴部材１３は円弧１３ｆを設けてある。円弧１３ｆに接する接線１３ｇでもって、吊り穴部材１３の上部は台形となっている。ストッパ部１４ｅは円弧１４ｈに接する接線１４ｉと接線１４ｉに交叉するストッパ面１４ｊにより構成している。
【００４４】
このインテンション  アタッチメントＡは開き止め部材１７を取り付けられていない状態で、フック１４，１４を枢軸１５を中心にして開く方向に回動してフック先端部１４ｂをフランジ１ｂの縁を下から上方へ通過させる。フック１４を開いた状態に支えていた手を離すと、引張りコイルばね１６のばね力でフック１４，１４は夫々枢軸１５を中心に回転し、フック先端部１４ｂは互いに近ずく。インテンション  アタッチメントＡを支持していた手を離すと先端支持部材２はフランジ１ｂに着座する。ここで、開き止め用の通し穴１３ｅにボルトナットである開き止め部材１７を取り付ける。
【００４５】
吊り穴１３ａにチェンブロック（図示されない）を掛けてチェンブロックで物上げを行うと、その荷重は、チェンブロックを介して吊り穴部材１３に伝わり、吊り穴部材１３から枢軸１５を介してフック１４に伝わる。そこで、先端支持部材２がフランジ１ｂを加圧した状態となる。
【００４６】
インテンション  アタッチメントＡを横架材１から外すには、インテンションアタッチメントＡからチェンブロックを外す。開き止め部材１７を外す。フック１４，１４先端部を引張コイルばね１６のばね力に抗して互いに押し拡げる。そして、フック先端部間隔が、フランジ１ｂ幅よりも大となった状態で横架材１からインテンション  アタッチメントＡを取り外す。
【００４７】
この実施の形態では枢軸１５の位置をフランジ１ｂに近ずけることができる。したがって、吊り穴１３も横架材１の下面から近い位置とすることができる。それ故、このインテンション  アタッチメントＡは天井高の低い建屋に用いて好適である。
【００４８】
この実施の形態ではフックの開き止めのために、フック１４の根本側にストッパ面１４ｊを設けて開き止め部材１７に、ストッパ面１４ｊを当てるようにしたが、フック１４の根本に吊り穴部材１３の通し穴１３ｅと一直線上の通し穴を設けて開き止め部材１７を通しボルトとして貫通してもよい。
【００４９】
（実施の形態４）
図１１は実施の形態４を示す。図１１の画法は図９と同様手前側のヒンジ部材１３Ｂの右側は切除して示してある。
【００５０】
図１１に示すように横架材１はウエブ１ａの上下にフランジ１ｂを有するＨ型鋼の下方にＣ形軽量形鋼１９いわゆるＣチャンが設けられている。形鋼１９の両側は丸棒の吊りメンバー２１の下端が溶接されている。吊りメンバー２１の上端は２階床の躯体に固定されている。
【００５１】
このような横架材１の場合、ウエブ１ａから両側への張出部は厚くなるため、今までの実施の形態のインテンション  アタッチメントは使用不可能である。
【００５２】
この実施の形態４は上述のように横架材１の下部がフランジのみでなく高さの大きい梁断面をなしている場合に適用される。図１１、図１２において実施の形態３と同様な構成部材には実施の形態３の符号を付し、実施の形態３に関する説明を援用する。
【００５３】
フック１４は枢軸１５に枢着された位置から先端部１４ｂを有するフック端部１４ｉまでの胴部１４ｇの長さが大きい。図１１のように横架材１にインテンション  アタッチメントＡを懸架した状態で胴部１４ｇは上下方向を向いている。
【００５４】
吊り穴部材本体１３Ａにはばね掛けはなく従って、吊り穴部材本体１３Ａはヒンジ部材１３Ｂよりわずかに上へ出ているだけである。
【００５５】
この実施の形態４ではフック１４に設けたばね掛け１４ｈ間に引張りコイルばね９を張設してある。
【００５６】
この実施の形態４では枢軸１５は図１２に示すように夫々座金２３を介在してフック１４と吊り穴部材１３の通し穴１３ｄ，１４ａを貫通する通しボルトナットとなっている。そして図１１に示すように通し穴１４ａ，１３ｄの傍にはフック１４と吊り穴部材１３を貫通する通し穴１３ｅ，１４ｆが設けてある。この通し穴１３ｅ，１４ｆは貫通穴１３ｄ，１４ａに接近しているので開き止めとして通しボルトナットを用いることができないので後述の実施の形態５で説明する開き止め具Ｄを通し穴１３ｅ，１４ｆに挿入して開き止めとする。
【００５７】
この実施の形態４によればフック１４が長く、横架材１の下部を大きく回避して閉じることができるので、横架材１の下部にＣ形軽量形鋼材１９が設けられていてフランジ１ｂの上面から該軽量形鋼材１９の下面までの高さが高くても適合できる。
【００５８】
フック１４は枢軸１５からフック爪となる先端支持部材２の下端までの長さが長いため、フック１４の先端は引張りコイルばね９のばね力に抗しても開き易い。
【００５９】
又、吊り穴１３ａと先端支持部材２の下端までの長さが長いため、負荷によってフック先端が開こうとする力は小さく安定が良い。
【００６０】
（実施の形態５）
この実施の形態は閉じたフックの開き止めに関する。この実施の形態の開き止め具は実施の形態１〜４の何れの開き止めとしても用いることができる。先述した開き止め１２は通しボルトナットを用いている。通しボルトナットを用いるとボルトをチェン等でインテンション  アタッチメントに結んでおいてボルトの紛失を防止できるがナットはインテンション  アタッチメントに紛失しないように付属させておくのは困難である。また、通しボルトナットでフックの開き止めを行うと、取付時はボルトを通し穴に差し込み、ボルトにナットをねじ込まねばならない。また、開き止め穴に挿入して取り付けた通しボルトナットを取り外すにはナットをねじ戻して取り外さねばならない。
【００６１】
この実施の形態５は上記開き止めを発展させて、部材の紛失のおそれがなく開き止め穴（通し穴、貫通穴）に着脱容易な開き止めを提供するとことを目的としている。
【００６２】
図１３から図１７は実施の形態５を示す。図１３は平面図、図１４は図１３の側面図、図１５は図１３の平面図、図１６は作用を示すための平面図、図１７は図１６の側面図である。
【００６３】
インテンション  アタッチメントＡの開き止め用の貫通穴３ｇ，４ｇ又は１３ｄ，１４ｆもしくは１３ｅに嵌入可能な丸棒の開き止め本体３１の両端は夫々半球形に丸めてある。該本体３１の一端はスリット３１ａでもって二又になっている。スリット３１ａを横切る方向にピン３２が嵌入する穴が設けてある。該穴の両端は面取りされている。ピン３２は該本体３１の直径に近い長さを持つが該穴の面取りに達する長さで該の穴に差し込まれている。ピン３２の両端は溶接により開き止め本体３１に固着されている。開き止め本体３１の後端には半球の中心をとおる穴３１ｂが設けてある。この穴３１ｂに図示しないチェンの一端が係止される。チェンの他端はインテンション  アタッチメントＡに取り付けられる。
【００６４】
スリット３１ａに開き止め本体３１のための抜け止め部材３３のほぼ中央部が嵌入している。この抜け止め部材３３の中央部の穴に前述したピン３２が嵌入している。図１４に示すように抜け止め部材３３は先端側が丸軸部３３ｂで先端は丸軸部３３ｂを根本側とする円錐状の突起３３ｃとなっている。丸軸部３３ｂは開き止め本体３１の直径と同直径である。抜け止め部材３３の中央部から後端は丸軸部３３ｂと同直径を基にした二面幅部３３ａとなっている。この二面幅部３３ａがスリット３１ａに嵌合している。二面幅部３３ａの端部は図１４に示すように球形の一部である。
【００６５】
ここで、開き止め本体３１のスリット３１ａの奥３１ｃからチェンを係止する穴３１ｂまでの距離は実施の形態１、２ではフック４、実施の形態３、４では吊り穴部材１３の夫々両側の外側面間の距離よりもやや大である。
【００６６】
使用方法はインテンション  アタッチメントＡを横架材１に吊り下げた状態で貫通穴３ｇ，４ｇ又は１３ｄ，１４ｆもしくは１３ｅに回り止め具Ｄを挿入する。挿入する際は図１６、図１７に示すように抜け止め部材３３と開き止め本体３１を一直線上に位置するように図１４の状態からピン３２を中心に抜け止め部材３３を回動する。これにより、開き止め本体３１と抜け止め部材３３はあたかも一つの丸棒のようになる。そして一直線とされた回り止め具Ｄの先端の突起３３ｃから開き止め穴３ｇ，４ｇ又は１３ｄ，１４ｆもしくは１３ｅに挿入する。そして開き止め本体３１の根本の穴３１ｂがインテンション  アタッチメントＡに達すると穴３１ｂに係止してあるチェンがあるため開き止め具Ｄはそれ以上挿入できない。このとき、スリット３１ａの奥３１ｃは貫通穴３ｇ，４ｇ又は１３ｄ，１４ｆもしくは１３ｅから外へ出ている。ここで、抜け止め部材３３をピン３２を中心にして９０度回動する。ここで、開き止め本体３１に対する抜け止め３３のピン３２による枢着部分は抜け止め３３がインテンション  アタッチメントＡの振動等によって容易に回動しないが、操作上支障がない程度の抵抗が与えられるようになっている。チェンを取り付けた穴３１ｂのある側を引いて開き止め具Ｄの抜け止め部材３３をフック３，４又はヒンジ部材１３Ｂの側面に近ずけて、抜け止め部材３３が仮に回ろうとしてもフック３，４又はヒンジ部材１３Ｂの側面に当るようにする。
【００６７】
開き止め具Ｄを外す際は、開き止め本体３１の後端を押して抜け止め部材３３をフック１４、吊り穴部材１３の外面側から遠ざける。次に、抜け止め部材３３を回して開き止め本体３１と一直線として、開き止め本体３１の後端側を引いて貫通穴３ｇ，４ｇ又は１３ｄ，１４ｆもしくは１３ｅから抜けばよい。
【００６８】
この実施の形態の開き止め具によれば、全部材が一体となっているのでチェン等でインテンション  アタッチメントＡに結合しておくだけよい。また、インテンション  アタッチメントＡに対する着脱も簡単である。
【００６９】
実施の形態は一対のフックを互いに引き寄せるために引張コイルばねを用いるが枢軸部にねじりコイルばねを装着して一対のフックを互いに引き寄せるようにしてもよい。
【００７０】
【発明の効果】
本発明によれば、予め建屋天井部に荷役のための装置を備えておく必要がない。吊り上げを行う場所は横架材のある場所であれば位置を任意に選択できる。横架材に対する着脱が簡単且つ容易である。インテンション  アタッチメントの構成部材が少なく構造が簡単で安価に提供できる。
【図面の簡単な説明】
図面は何れも本発明の実施の形態を示し
【図１】実施の形態１のインテンション  アタッチメントの正面図である。
【図２】図１の平面図である。
【図３】実施の形態１の斜視図である。
【図４】実施の形態１の使用状態を示す斜視図である。
【図５】図１のＡ−Ａ断面図である。
【図６】図１のＢ−Ｂ断面図である。
【図７】図１のＣ矢視図である。
【図８】実施の形態２のインテンション  アタッチメントの正面図である。
【図９】実施の形態３のインテンション  アタッチメントの正面図である。
【図１０】フックを外した図９のＤ−Ｄ断面を含む図９の平面図である。
【図１１】実施の形態４のインテンション  アタッチメントの正面図である。
【図１２】一部図１１のＥ−Ｅ断面を含む図１１の平面図である。
【図１３】実施の形態５の開き止め具を示す正面図である。
【図１４】図１３の側面図である。
【図１５】図１３の平面図である。
【図１６】図１３の使用状態を示すための正面図である。
【図１７】図１６の側面図である。
【符号の説明】
Ａ…インテンション  アタッチメント
Ｂ…チェンブロック
Ｂ１…フック
Ｃ１，Ｃ２…中心
Ｄ…開き止め具
１…横架材  １ａ…ウエブ  １ｂ…フランジ
２…先端支持部材
３…フック  ３ａ…フック先端部  ３ｂ…めねじ  ３ｃ…貫通穴  ３ｄ…吊り穴  ３ｄ１…下方の縁  ３ｅ…ばね掛け  ３ｆ…切り込み  ３ｇ…貫通穴  ３ｈ…内側
４…フック  ４ａ…フック先端部  ４ｂ…めねじ  ４ｃ…貫通穴  ４ｄ…ウエブ  ４ｅ…穴  ４ｇ…貫通穴  ４ｈ…内側
５…枢軸
７…ナット
８…割ピン
９…引張コイルばね
１０…ナット
１１…ばね掛け
１２…開き止め  １２ａ…穴  １２ｂ…ピン部  １２ｃ…おねじ
１３…吊り穴部材  １３Ａ…吊り穴部材本体  １３Ｂ…ヒンジ部材  １３ａ…吊り穴  １３ｂ…ばね掛け  １３ｄ…穴  １３ｅ…通し穴
１４…フック  １４ａ…穴  １４ｂ…フック先端部  １４ｃ…内側  １４ｄ…切り込み  １４ｅ…ストッパ部  １４ｆ…通し穴  １４ｇ…胴部  １４ｈ…ばね掛け  １４ｉ…フック端部  １４ｊ…ストッパ面
１５…枢軸
１６…引張コイルばね
１７…開き止め部材
１９…Ｃ形軽量形鋼
２１…吊りメンバー
２３…座金
３１…開き止め本体  ３１ａ…スリット  ３１ｂ…穴  ３１ｃ…奥
３２…ピン
３３…抜け止め部材  ３３ａ…二面幅部  ３３ｂ…丸軸部  ３３ｃ…突起
【図１】
2004256238.tif 000003
【図２】
2004256238.tif 000004
【図３】
2004256238.tif 000005
【図４】
2004256238.tif 000006
【図５】
2004256238.tif 000007
【図６】
2004256238.tif 000008
【図７】
2004256238.tif 000009
【図８】
2004256238.tif 000010
【図９】
2004256238.tif 000011
【図１０】
2004256238.tif 000012
【図１１】
2004256238.tif 000013
【図１２】
2004256238.tif 000014
【図１３】
2004256238.tif 000015
【図１４】
2004256238.tif 000016
【図１５】
2004256238.tif 000017
【図１６】
2004256238.tif 000018
【図１７】
2004256238.tif 000019
【手続補正書】
【提出日】平成15年8月11日(2003.8.11)
【手続補正１】
【補正対象書類名】明細書
【補正対象項目名】特許請求の範囲
【補正方法】変更
【補正の内容】
【特許請求の範囲】
【請求項１】
中央部が垂直なウエブでその下部両側にフランジ等の張出部を有する横架材に係脱可能で物上げ機を支持するインテンション  アタッチメントにおいて、  フック先端部が横架材の両張出部上方に夫々位置して横架材の長手方向に沿う方向に長い形状で、フック先端部の長手方向のほぼ中央部から、板材がフック先端部にその板面を直交して垂下する形状であり、フック先端部から前記張出部の縁を回り込んで互いに近寄る方向へ向って交叉し交叉する部分で枢着され、閉じた状態において両フックを通じてフックが開くのを阻止する開き止めを係止する係止部を有する一対のフックであって、
前記枢着位置よりも下方へ延びて下方に物上げ機を吊り下げる吊り穴を有する一方のフックと、先端部でつながる二又の一体物であって、両フックの交叉部分では前記二又の間に前記一方のフックを挟持している他方のフックと、
一対のフックを前記交叉する部分で枢着する枢軸と、
横架材の張出部上に接触可能でフック先端部の上下位置及び傾きを調節可能にフック先端部の長手方向に沿って配設されフック先端部にねじ込まれた複数の先端支持部材と、
一対のフック先端側を互いに引き寄せるばねと、
を有することを特徴とするインテンション  アタッチメント。
【請求項２】
インテンション  アタッチメントを垂線を左右の対称線とする横架材に係合してフックを閉じた状態において、一対のフック上部は前記垂線を対称線とする線対称であり、吊り穴の中心は前記垂線よりも吊り穴のない他方のフック側へオフセットしており、且つ、枢軸の中心は前記吊り穴のオフセットした側とは前記垂線を間にして反対側にオフセットしていることを特徴とする請求項１に記載のインテンション  アタッチメント。
【請求項３】
前記他方のフックはフック先端部及び中間背部で板材がつながっていることを特徴とする請求項１又は２に記載のインテンション  アタッチメント。
【請求項４】
中央部が垂直なウエブでその下部両側にフランジ等の張出部を有する横架材に係脱可能で物上げ機を支持するインテンション  アタッチメントにおいて、  フック先端部が横架材の両張出部上方に夫々位置して横架材の長手方向に沿う方向に長い形状で、フック先端部の長手方向のほぼ中央部から、板材がフック先端部にその板面を直交して垂下する形状であり、フック先端部から前記張出部の縁から下方へ向い、下方において夫々が吊り穴部材に枢着された一対のフックであって、一対のフックが閉じた状態において各フックと吊り穴部材を通じてフックが開くのを阻止する開き止めを係止する当接部を有する一対のフックと、
一対のフックを夫々枢着するために両側に設けられ枢軸を嵌合する穴と、物上げ機を吊り下げる吊り穴を有し、一対のフックを挟持する吊り穴部材と、
一対のフックの夫々のフックと吊り穴部材を枢着する枢軸と、
横架材の張出部上に接触可能でフック先端部の上下位置及び傾きを調節可能にフック先端部の長手方向に沿って配されフック先端部にねじ込まれた複数の先端支持部材と、
一対のフック先端側を夫々引き寄せるばねと、
を有することを特徴とするインテンション  アタッチメント。
【手続補正２】
【補正対象書類名】明細書
【補正対象項目名】０００８
【補正方法】変更
【補正の内容】
【０００８】
【課題を解決するための手段】
本出願に係る第１の発明は中央部が垂直なウエブでその下部両側にフランジ等の張出部を有する横架材に係脱可能で物上げ機を支持するインテンション  アタッチメントにおいて、フック先端部が横架材の張出部上方に夫々位置して横架材の長手方向に沿う方向に長い形状で、フック先端部の長手方向のほぼ中央部から、板材がフック先端部にその板面を直交して垂下する形状であり、フック先端部から前記張出部の縁を回り込んで互いに近寄る方向へ向って交叉し交叉する部分で枢着され、閉じた状態において両フックを通じてフックが開くのを阻止する開き止めを係止する係止部を有する一対のフックであって、前記枢着位置よりも下方へ延びて下方に物上げ機を吊り下げる吊り穴を有する一方のフックと、先端部でつながる二又の一体物であって、両フックの交叉部分では前記二又の間に前記一方のフックを挟持している他方のフックと、一対のフックを前記交叉する部分で枢着する枢軸と、横架材の張出部上に接触可能でフック先端部の上下位置及び傾きを調節可能にフック先端部の長手方向に沿って配設されフック先端部にねじ込まれた複数の先端支持部材と、一対のフック先端側を互いに引き寄せるばねと、を有することを特徴とするインテンション  アタッチメントである。


【手続補正３】
【補正対象書類名】明細書
【補正対象項目名】０００９
【補正方法】変更
【補正の内容】
【０００９】
本出願に係る第２の発明はインテンション  アタッチメントを垂線を左右の対称線とする横架材に係合してフックを閉じた状態において、一対のフック上部は前記垂線を対称線とする線対称であり、吊り穴の中心は前記垂線よりも吊り穴のない他方のフック側へオフセットしており、且つ、枢軸の中心は前記吊り穴のオフセットした側とは前記垂線を間にして反対側にオフセットしていることを特徴とする第１の発明に記載のインテンション  アタッチメントである。


【手続補正４】
【補正対象書類名】明細書
【補正対象項目名】００１０
【補正方法】変更
【補正の内容】
【００１０】
本出願に係る第３の発明は前記他方のフックはフック先端部及び中間背部で板材がつながっていることを特徴とする第１又は第２の発明に記載のインテンション  アタッチメントである。
本出願に係る第４の発明は中央部が垂直なウエブでその下部両側にフランジ等の張出部を有する横架材に係脱可能で物上げ機を支持するインテンション  アタッチメントにおいて、フック先端部が横架材の張出部上方に位置して横架材の長手方向に沿う方向に長い形状で、フック先端部の長手方向のほぼ中央部から、板材がフック先端部にその板面を直交して垂下する形状であり、フック先端部から前記張出部の縁から下方に向い、下方において夫々が吊り穴部材に枢着された一対のフックであって、一対のフックが閉じた状態において各フックと吊り穴部材を通じてフックが開くのを阻止する開き止めを係止する当接部を有する一対のフックと、一対のフックを夫々枢着するために両側に設けられ枢軸を嵌合する穴と物上げ機を吊り下げる吊り穴を有し、一対のフックを挟持する吊り穴部材と、一対のフックの夫々のフックと吊り穴部材を枢着する枢軸と、横架材の張出部上に接触可能でフック先端部の上下位置及び傾きを調節可能にフック先端部の長手方向に沿って配されフック先端部にねじ込まれた複数の先端支持部材と、一対のフック先端側を夫々引き寄せるばねと、を有することを特徴とするインテンション  アタッチメントである。
【手続補正５】
【補正対象書類名】明細書
【補正対象項目名】００７０
【補正方法】変更
【補正の内容】
【００７０】
本発明の実施の形態によれば、予め建屋天井部に荷役のための装置を備えておく必要がない。吊り上げを行う場所は横架材のある場所であれば位置を任意に選択できる。横架材に対する着脱が簡単且つ容易である。インテンション  アタッチメントの構成部材が少なく構造が簡単で安価に提供できる。
【発明の効果】
本出願に係る第１の発明によれば、フック先端部が横架材の長手方向に沿う方向に長い形状で、フック先端部の上下位置及び傾きを調節可能にフック先端支持部材を有するのでフック対の上下位置及びこの傾きの調節ができる。この傾きの調節は横架材に沿う方向及び横架材に交叉する方向共に行うことができる。従って、物上げ機を安定して支持できる。一対のフックの一方は枢着位置よりも下方へ延びて下方に吊り穴を有し、他方のフックは二又の一体物であるのでインテンション  アタッチメントは吊り穴より上部は不動となるので物上げ機を安定して支持できる。
本出願に係る第２の発明によれば、横架材に取り付けたインテンション  アタッチメントに物上げ機を吊り下げ荷重を加えるとフック対は横架材を把握する力を強めるので荷重が増えるのに従って安定が増す。
本出願に係る第３の発明によれば、一対のフックの他方のフックは先端部だけでなく中間背部も板材間がつながって一体であるので剛性が高い。
本出願に係る第４の発明によれば、両側に夫々フックを枢着すると共に吊り穴を有する吊り穴部材を設けたので吊り穴と横架材との距離を小さくでき吊り穴と床上の距離を大きくとることができる。そして、フック先端部が横架材の長手方向に沿う方向に長い形状で、フック先端部の上下位置及び傾きを調節可能にフック先端支持部材を有するのでフック対の上下位置及びこの傾きの調節ができる。この傾きの調節は横架材に沿う方向及び横架材に交叉する方向共に行うことができる。従って、物上げ機を安定して支持できる。又、横架材の張出部の上下方向の寸法が大きい場合に対応できる。